(57)【特許請求の範囲】
【請求項１】
有線または無線で連結されたコンピュータから受信したデータにより制御されるモバイル端末で実行される前記モバイル端末を制御する方法であって、
前記モバイル端末のアクティブウィンドウ上のテキスト入力コントロールが活性化されると、あらかじめ設けられた遠隔制御用キーパッドアプリケーションを動作させるステップと、
前記コンピュータからテキストデータを受信すると、前記受信したデータを前記遠隔制御用キーパッドアプリケーションに伝達するステップとを含み、
前記遠隔制御用キーパッドアプリケーションは、前記モバイル端末のオペレイションシステムから基本的に提供される仮想キーパッドアプリケーションの代わりに動作し、前記遠隔制御用キーパッドアプリケーションは、仮想キーパッドを画面に表示しないことを特徴とする、遠隔制御方法。
【請求項２】
前記遠隔制御用キーパッドアプリケーションは、前記伝達を受けたテキストデータを前記モバイル端末のアクティブウィンドウ上のテキスト入力コントロールに伝達するように構成されることを特徴とする、請求項１に記載の遠隔制御方法。
【請求項３】
前記コンピュータから受信するテキストデータは、前記モバイル端末のアクティブウィンドウ上のテキスト入力コントロールが入力待機の状態で前記コンピュータのキーボード操作を介して入力されたデータであることを特徴とする、請求項１又は請求項２に記載の遠隔制御方法。
【請求項４】
モバイル端末と有線または無線で連結されたコンピュータで実行される前記モバイル端末を遠隔で制御する方法であって、
前記コンピュータの画面に前記モバイル端末を制御するデータの入力を受けるためのユーザインターフェースである遠隔制御ウィンドウを表示するステップと、
前記遠隔制御ウィンドウがアクティブウィンドウの状態で前記コンピュータの入力装置の操作を通じたテキストデータの入力を感知する場合、前記入力が感知されたテキストデータを前記モバイル端末に伝送するステップとを含み、
前記コンピュータのキーボード操作によって感知されたデータは、前記モバイル端末の遠隔制御用キーパッドアプリケーションに伝達され、前記遠隔制御用キーパッドアプリケーションは、前記モバイル端末のオペレイションシステムから基本的に提供される仮想キーパッドアプリケーションの代わりに動作して仮想キーパッドを画面に表示しないで、前記遠隔制御ウィンドウは前記モバイル端末に表示される画面と同じように仮想キーパッドが表示されないことを特徴とする遠隔制御方法。
【請求項５】
前記モバイル端末に伝送するステップは、前記遠隔制御ウィンドウ内のテキスト入力コントロールが入力待機の状態で、前記コンピュータのキーボード操作を介して入力されるテキストデータの入力を感知し、前記入力が感知されたテキストデータを前記モバイル端末に伝送することを特徴とする、請求項４に記載の遠隔制御方法。
【請求項６】
前記遠隔制御用キーパッドアプリケーションは、前記伝達されたテキストデータを前記モバイル端末のアクティブウィンドウ上のテキスト入力コントロールに伝達するように構成されることを特徴とする請求項４に記載の遠隔制御方法。
【請求項７】
遠隔制御用キーパッドアプリケーションが設けられたモバイル端末であって、
前記モバイル端末は、有線または無線で連結されたコンピュータにより遠隔制御され、
前記遠隔制御用キーパッドアプリケーションは、前記モバイル端末のアクティブウィンドウ上のテキスト入力コントロールが活性化されると動作し、
前記遠隔制御用キーパッドアプリケーションは、前記コンピュータからテキストデータが受信されると、前記受信されたテキストデータを前記アクティブウィンドウ上のテキスト入力コントロールに伝達するように構成され、
前記遠隔制御用キーパッドアプリケーションは、前記モバイル端末のオペレイションシステムから基本的に提供される仮想キーパッドアプリケーションの代わりに動作し、前記遠隔制御用キーパッドアプリケーションは仮想キーパッドを画面に表示しないことを特徴とするモバイル端末。
【請求項８】
前記コンピュータから受信されるテキストデータは、前記モバイル端末のアクティブウィンドウ上のテキスト入力コントロールが入力待機の状態で前記コンピュータのキーボード操作によって入力されるデータであることを特徴とする、請求項７に記載のモバイル端末。
【発明の詳細な説明】
【技術分野】
【０００１】
本発明は、モバイル端末の遠隔制御方法及び装置に関し、より詳細には、仮想キーパッドを利用するモバイル端末を制御するための遠隔制御方法及び装置に関する。
【背景技術】
【０００２】
ＰＣ(ＰｅｒｓｏｎａｌＣｏｍｐｕｔｅｒ)遠隔制御は、地域的に遠く離れているか分散されているＰＣを遠隔地で接続して制御する技術として、インターネットを介してユーザのＰＣを遠隔で使うようにすることで、インターネットに連結されているコンピュータを介して遠く離れているユーザのＰＣのすべての機能を、画面を見ながらそのまま使うことができる技術である。
【０００３】
このような便利性のため、現在、遠隔制御は企業ユーザを越えて個人ユーザにまで広く普及されて来ており、単純に企業でユーザＰＣを監視し管理する次元を超えて個人ユーザも家で会社に、または会社で家に遠隔制御ツールを利用して自分のＰＣを制御することが増えている。
【０００４】
一方、スマートフォンのようなモバイル端末機を利用したインターネット使用が普遍化されることに伴い、ＰＣを介してスマートフォンを遠隔制御するためのアプリケーションも開発されている。しかし、ＰＣ対ＰＣ方式の遠隔制御とは異なりタッチスクリーン方式を使用するスマートフォンを、ＰＣを利用して遠隔制御するためには、仮想のキーパッドを使わなければならない。これは複雑な操作を要求するテキストを入力する際には不便であった。
【発明の概要】
【発明が解決しようとする課題】
【０００５】
したがって、本発明は上述のような従来技術の問題点を解決するためになされたもので、その目的は、複雑な操作を要求するテキストを便利に入力することができる、モバイル端末を遠隔制御する方法を提供することにある。
【０００６】
また、本発明の他の目的は、複雑な操作を要求するテキストを便利に入力することができる、モバイル端末を遠隔制御する装置を提供することにある。
【課題を解決するための手段】
【０００７】
前記目的を達成するための本発明の一側面は、有線または無線で連結されたコンピュータから受信したデータにより制御されるモバイル端末で実行される前記モバイル端末を制御する方法において、前記モバイル端末のアクティブウィンドウ上のテキスト入力コントロールが活性化されると、あらかじめ設けられた遠隔制御用キーパッドアプリケーションを動作させるステップと、前記コンピュータからテキストデータを受信すると、前記受信したデータを前記遠隔制御用キーパッドアプリケーションに伝達するステップと、を含む遠隔制御方法を提供する。
【０００８】
前記目的を達成するための本発明の他の側面は、モバイル端末と有線または無線で連結されたコンピュータで実行される前記モバイル端末を遠隔で制御する方法において、前記コンピュータの画面に前記モバイル端末を制御するデータの入力を受けるためのユーザインターフェースである遠隔制御ウィンドウを表示するステップと、前記遠隔制御ウィンドウがアクティブウィンドウの状態で、前記コンピュータの入力装置の操作を介したテキストデータの入力を感知する場合、前記入力が感知されたテキストデータを前記モバイル端末に伝送するステップと、を含む遠隔制御方法を提供する。
【０００９】
前記他の目的を達成するための本発明の他の側面は、遠隔制御用キーパッドアプリケーションが設けられたモバイル端末において、前記モバイル端末は、有線または無線で連結されたコンピュータにより遠隔制御され、前記遠隔制御用キーパッドアプリケーションは、前記モバイル端末のアクティブウィンドウ上のテキスト入力コントロールが活性化されると動作し、前記遠隔制御用キーパッドアプリケーションは、前記コンピュータからテキストデータが受信されると、前記受信されたテキストデータを前記アクティブウィンドウ上のテキスト入力コントロールに伝達するように構成されることを特徴とするモバイル端末を提供する。
【発明の効果】
【００１０】
上述のような本発明による仮想キーパッドを利用するモバイル端末を遠隔制御する方法及び遠隔制御装置を利用する場合には、コンピュータのキーボードなどのような入力装置を利用してテキストデータを入力することができ、また、端末のオペレイションシステムから提供する仮想のキーパッドを画面に見えないようにすることで、画面を遮らないでテキストを入力することができる。特に、複雑な操作を要求する特殊文字やハングル、日本語、中国語など２バイト(Ｕｎｉｃｏｄｅ)入力の場合のように仮想キーパッド画面が数回切り替える不便さを解消するにおいてより有用である。
【図面の簡単な説明】
【００１１】
【図１】図１は、従来の仮想キーパッド方式のモバイル端末を遠隔で制御するシステムを示す概念図である。
【図２】図２は、本発明の一実施形態による透明キーパッド方式のモバイル端末を遠隔で制御するシステムを示す概念図である。
【図３】図３は、本発明の一実施形態による遠隔制御用キーパッドアプリケーションを利用してモバイル端末が遠隔で制御される過程を示すフローチャートである。
【図４】図４は、本発明の一実施形態によるモバイル端末を遠隔で制御する過程を示すブロック図である。
【発明を実施するための形態】
【００１２】
本発明は、多様に変更可能であり、さまざまな実施形態を有することができる。ここでは、特定の実施形態を図面に例示して詳細に説明する。しかし、これは本発明の好ましい実施態様に過ぎず、本発明の実施の範囲を限定するものではなく、本発明の明細書及び図面内容に基づいてなされた均等な変更および付加は、いずれも本発明の特許請求の範囲内に含まれるものとする。
【００１３】
第１、第２及びＡ、Ｂなどの用語は、多様な構成要素を説明するために用いられ、前記構成要素は前記用語により限定されるものではない。前記用語は、その構成要素を他の構成要素と区別するためのものである。例えば、本発明の権利範囲を脱しない範囲内で、第１の構成要素は、第２の構成要素と称することができ、同様に第２の構成要素も第１の構成要素と称することができる。『及び/または』という用語は、複数の関連された記載項目の組み合わせまたは複数の関連された記載項目の中でいずれの項目を含む。
【００１４】
ある構成要素が他の構成要素に『連結』または『接続』されると記載した場合、その構成要素はその他の構成要素に直接的に連結されるか、または接続されることができ、各構成要素の間にまた他の構成要素が『連結』または『接続』されることもできると理解するべきである。一方、ある構成要素にほかの構成要素が『直接連結』または『直接接続』されると記載した場合には、各構成要素の間にまた他の構成要素が存在しないことと理解するべきである。
【００１５】
本明細書で使用した用語は、特定の実施形態のみを説明するために使用されたもので、本発明はこれに限定されるものではない。単数の表現は、文脈上明示しない限り複数の表現を含む。本願において、「含む」または「有する」などの用語は、明細書上に記載された特徴、数字、ステップ、動作、構成要素、部品またはこれらを組み合わせたものが存在することを指定するもので、一つまたはそれ以上の他の特徴や数字、ステップ、動作、構成要素、部品またはこれらを組み合わせたものなどの存在または付加可能性をあらかじめ排除しないことに理解されるべきである。
【００１６】
特定しない限り、技術的や科学的な用語を含んでここで使用されるすべての用語は、本発明が属する技術分野で通常の知識を有した者が一般的に理解できるものと同等の意味を有している。一般的に使用される辞書に定義されている用語は、関連技術の文脈上の意味と一致する意味を有するものと解釈し、本出願において明白に定義しない限り、理想的や過度に形式的な意味に解釈されない。
【００１７】
以下、添付の図面を参照して本発明の好ましい実施形態について詳細に説明する。本発明の説明において、図面上の同一構成要素に対しては同一参照符号を付与し、その重複説明は省略する。
【００１８】
図１は、従来の仮想キーパッド方式のモバイル端末を遠隔制御するシステムを示す概念図である。
【００１９】
図１を参照すれば、モバイル端末２０(例えばスマートフォン)をコンピュータ画面１０に連結してスマートフォン２０のスクリーンをコンピュータ画面１０で見ながら遠隔制御する場合、コンピュータでスマートフォン２０のテキストを入力するための従来の方法は、コンピュータ画面１０に表示された遠隔制御ウィンドウ１００の仮想キーパッド１１０を利用した。仮想キーパッド１１０は、例えば、スマートフォンの一定領域にキーパッドをイメージで構成して該当イメージをユーザがタッチするようにして入力を受ける方式である。
【００２０】
すなわち、スマートフォン２０のテキスト入力コントロール２２０が活性化されると、遠隔制御状態であってもスマートフォン２０の画面に仮想キーパッド２１０が自動に表示されるようになっている。したがって、モバイル端末２０に表示された仮想キーパッド２１０は画面が共有される遠隔制御コンピュータ画面１０の遠隔制御ウィンドウ１００内に表示１１０されて遠隔制御コンピュータでもモバイル端末２０と同様に仮想キーパッド１００のマウスクリックによってテキストの入力を受けるようになる。
【００２１】
しかし、このように仮想キーパッドを利用する方法は、入力速度やユーザ利便性が落ちて、画面の一部が仮想キーパッドにより遮られるので、キーボードを具備したコンピュータ画面１０でモバイル端末２０のように仮想キーボードを利用してテキストを入力する必要はない。
【００２２】
図２は、本発明の一実施形態によるモバイル端末遠隔制御システムを示す概念図である。
【００２３】
図２を参照すれば、本発明の一実施形態によるモバイル端末遠隔制御システムは、テキスト入力コントロール２２０が活性化されると、自動で画面に表示される仮想キーパッド機能の代わりに、目に見えない透明キーパッド２３０を表示することができる。すなわち、端末で基本的に提供される仮想キーパッド機能または仮想キーパッドアプリケーションが実行される代わりに、本発明による遠隔制御用キーパッドアプリケーションが実行されるようにすることで仮想キーパッドが画面に表示されないようにすることができる。
【００２４】
したがって、仮想キーパッドによるキータッチ機能は、遠隔制御コンピュータ１０のキーボード１４０のストロークに代置される。しかし、仮想キーパッドは、設定によって、画面に表示するかあるいは表示しなくてもよい。このようにモバイル端末２０が、仮想キーパッドの見えない透明キーパッド２３０の状態になると、遠隔制御コンピュータ画面１０の遠隔制御ウィンドウ１００も透明キーパッド１３０状態になって、画面が遮られなくなる。
【００２５】
したがって、本発明の一実施形態による遠隔制御システムでは、仮想キーパッドが画面に表示されなくても、ユーザはキーボード１４０操作によってテキストを入力し、入力されたテキストは従来の仮想キーパッドによって入力されたテキストのように端末２０に伝送されてテキスト入力コントロール１２０、２２０に表示される。
【００２６】
以下、本発明の一実施形態による遠隔制御方法をより詳細に説明する。
【００２７】
図３は、本発明の一実施形態による遠隔制御用キーパッドアプリケーションを利用してモバイル端末が遠隔制御される過程を示すフローチャートである。
【００２８】
図３を参照すれば、本発明の一実施形態による遠隔制御用キーパッドアプリケーションを利用してモバイル端末を遠隔制御する過程は、モバイル端末を制御する方法において、遠隔制御用キーパッドアプリケーション駆動ステップ(ステップＳ３１０)と、テキストデータ受信ステップ(ステップＳ３２０)と、テキストデータ伝達ステップ(ステップＳ３３０)、テキストデータ表示ステップ(ステップＳ３４０)と、を含んで構成できる。また、上述の過程は、有線または無線で連結されたコンピュータから受信したデータにより制御されるモバイル端末で実行される遠隔制御方法であってもよい。この時、モバイル端末とコンピュータは、有線ＲＡＮ、無線ＲＡＮ、３Ｇ、ワイブロ(Ｗｉｂｒｏ)、ブルトゥース(Ｂｌｕｅｔｏｏｔｈ)、赤外線通信、ＵＳＢ連結などの多様な方式で連結することができ、モバイル端末には、ＰＤＡ、スマートフォンなどが含まれる。
【００２９】
図３を参照すれば、本発明の一実施形態による遠隔制御用キーパッドアプリケーションを利用してモバイル端末が遠隔制御される過程の各ステップは、次のように説明することができる。
【００３０】
遠隔制御用キーパッドアプリケーション駆動ステップ(ステップＳ３１０)では、モバイル端末のアクティブウィンドウ上のテキスト入力コントロールが活性化されると、あらかじめ設けられた遠隔制御用キーパッドアプリケーションを動作させる。
【００３１】
一般的に、スマートフォンのように物理的なキーパッドがない端末の場合、ユーザがデータを入力するか編集できるようにテキスト入力ボックスを端末の画面に提供する場合に、イメージで構成された仮想キーパッドが自動で画面に表示される。しかし、本発明による遠隔制御用キーパッドアプリケーションは、テキスト入力コントロールが活性化されても仮想キーパッドを画面に表示しないことができる。すなわち、本発明による遠隔制御用キーパッドアプリケーションが駆動されると、モバイル端末のオペレイションシステムで基本的に提供される仮想キーパッド機能が動作しない。
【００３２】
テキストデータ受信ステップ(ステップＳ３２０)では、モバイル端末を遠隔制御するコンピュータから送信されるテキストデータを受信する。この時、テキストデータは遠隔制御コンピュータの入力装置(例えば、キーボード)の操作によって入力されたデータである。特に、前記テキストデータは、モバイル端末のアクティブウィンドウ上のテキスト入力コントロールが入力待機状態、例えば、前記テキスト入力コントロールにカーソルが位置してユーザからマウスやキーボードを介してテキストが入力されることを待つ状態で、キーボードのような入力装置の操作によって入力されたテキストデータである。
【００３３】
例えば、モバイル端末を遠隔制御するコンピュータのユーザがテキストを入力しようとする場合、遠隔コンピュータの遠隔制御ウィンドウのテキスト入力コントロールにカーソルが位置しており、モバイル仮想キーボードが画面に表示されない状態である(モバイル端末で遠隔制御用仮想キーボードアプリケーションが動作しているので)。したがって、ユーザはコンピュータのキーボードを介してテキストを入力するようになり、このように入力されたテキスト、すなわち、ストロークされたキーボードの特定キー及びキーボードのモード(例えば、韓/英、大文字/小文字など)によってテキストに変換された値がモバイル端末に伝送され、モバイル端末はテキストデータを受信するようになる。
【００３４】
テキストデータ伝達ステップ(ステップＳ３３０)では、テキストデータ受信ステップ(ステップ３２０)で受信したテキストデータを遠隔制御用キーパッドアプリケーションに伝達する。
【００３５】
テキストデータ表示ステップ(ステップＳ３４０)では、遠隔制御用キーパッドアプリケーションが伝達を受けたテキストデータをテキスト入力コントロールに伝達して画面に表示する。
【００３６】
上述のように遠隔制御用キーボードアプリケーションは、モバイル端末に基本的に提供される仮想キーボードアプリケーションとは排他的に動作することができる。すなわち、遠隔制御用キーボードアプリケーションが動作すれば、端末の仮想キーボード機能が抑制されて画面に仮想キーボードが表示されない。本発明の一実施形態による遠隔制御用キーボードアプリケーションは、キーボードイメージを画面に表示しないが、画面に仮想キーボードが表示されたかのように動作することができる。すなわち、遠隔コンピュータから端末に送信されたテキストデータの伝達を受ければ、仮想キーボード上のキーがタッチされたことのように、伝達を受けたテキストデータをテキスト入力コントロールに伝達して画面に表示する。
【００３７】
図４は、本発明の一実施形態によるモバイル端末を遠隔制御する過程を示すブロック図である。
【００３８】
図４を参照すれば、本発明の一実施形態によるモバイル端末を遠隔制御する過程は、遠隔制御ウィンドウ表示ステップ(ステップＳ４１０)と、テキストデータ入力感知ステップ(ステップＳ４２０)と、テキストデータ伝送ステップ(ステップＳ４３０)と、を含んで構成される。
【００３９】
また、図４を参照すれば、本発明の一実施形態によるモバイル端末を遠隔制御する過程の各ステップは、次のように説明することができる。
【００４０】
遠隔制御ウィンドウ表示ステップ(ステップＳ４１０)では、コンピュータの画面にモバイル端末を制御するデータの入力を受けるためのユーザインターフェースである遠隔制御ウィンドウを表示する。
【００４１】
テキストデータ入力感知ステップ(ステップＳ４２０)では、遠隔制御ウィンドウがアクティブウィンドウの状態で、コンピュータの入力装置を介したテキストデータの入力を感知する。すなわち、遠隔制御ウィンドウ内のテキスト入力コントロールが入力待機状態でキーボード操作によるテキストデータの入力を感知することができる。
【００４２】
テキストデータ伝送ステップ(ステップＳ４３０)では、テキストデータ入力感知ステップ(ステップＳ４２０)で感知されたテキストデータを制御されるモバイル端末に伝送する。この時、モバイル端末に伝送されるデータは、遠隔制御用キーパッドアプリケーションに伝達される。一方、遠隔制御用キーパッドアプリケーションは、前記伝達を受けたテキストデータを前記モバイル端末のアクティブウィンドウ上のテキスト入力コントロールに伝達するように構成することができる。
【００４３】
例えば、制御されるモバイル端末が物理的なキーパッドなしに仮想イメージキーパッドを使用してユーザ入力を受ける方式の場合、モバイル端末に、本発明による遠隔制御用キーパッドアプリケーションが動作していると、遠隔制御ウィンドウには、テキストデータ入力モードであるにもかかわらず仮想キーパッドが表示されない。この場合、キーボードを介して入力されるテキストデータがモバイル端末に伝送されテキスト入力コントロールに表示される。
【００４４】
以上において説明した本発明は、本発明が属する技術の分野における通常の知識を有する者であれば、本発明の技術的思想を逸脱しない範囲内で、様々な置換、変形及び変更が可能であるので、上述の実施例及び添付の図面に限定されるものではない。
【符号の説明】
【００４５】
１０：コンピュータ画面
２０：モバイル端末
１００：遠隔制御ウィンドウ
１１０：仮想キーパッド
１２０：テキスト入力コントロール
１３０：透明キーパッド
１４０：キーボード
２１０：仮想キーパッド
２２０：テキスト入力コントロール
２３０：透明キーパッド
【図１】
0005658298.tif 000002
【図２】
0005658298.tif 000003
【図３】
0005658298.tif 000004
【図４】
0005658298.tif 000005